(57)【要約】【課題】  監視カメラなどの撮影装置で撮影した記録映像情報の中から、目的の被写体が映っている映像を短時間で効率的に探し出して見ることができるようにした撮影情報管理システム及びその方法を提供する。【解決手段】  固有情報が記憶された記憶媒体と、前記記憶媒体に記憶された固有情報を読み取る読取装置と、前記読取装置により、前記記憶媒体に記憶された固有情報が読み取られる際に、前記読取装置が設置されている場所付近を撮影する撮影装置と、前記読取装置が前記固有情報を読み取った時点を含む一定時間に前記撮影装置で撮影した撮影情報を、前記固有情報と関係付けて記憶手段に登録する処理装置とを有し、記憶媒体に記憶されている固有情報を読み取り、前記固有情報と映像情報とを関係付けて記憶手段に記憶させ、前記固有情報に基づいて、該固有情報と関係付けて記憶手段に記憶させた映像情報を選択してディスプレイに映し出す。【選択図】        図１
2006174200.tif 000002
【特許請求の範囲】
【請求項１】
固有情報が記憶された記憶媒体と、
前記記憶媒体に記憶された固有情報を読み取る読取装置と、
前記読取装置により、前記記憶媒体に記憶された固有情報が読み取られる際に、前記読取装置が設置されている場所付近を撮影する撮影装置と、
前記読取装置が前記固有情報を読み取った時点を含む一定時間に前記撮影装置で撮影した撮影情報を、前記固有情報と関係付けて記憶手段に登録する処理装置と、
を有することを特徴とする撮影情報管理システム。
【請求項２】
前記撮影装置は、前記読取装置が前記記憶媒体に記憶された固有情報を読み取る際に撮影を開始することを特徴とする請求項１記載の撮影情報管理システム。
【請求項３】
前記記憶媒体が、人が所持する目的で使用するものであり、前記固有情報が前記記憶媒体の所持者を特定することが可能なＩＤ番号であることを特徴とする請求項１記載の撮影情報管理システム。
【請求項４】
前記記憶媒体が物品に添付されている非接触ＩＣタグであることを特徴とする請求項１記載の撮影情報管理システム。
【請求項５】
記憶媒体に記憶されている固有情報を読み取るステップと、
前記固有情報を読み取る装置が設置されている場所付近を撮影するステップと、
前記固有情報と、前記固有情報が読み取られた時点を含む一定時間に撮影された撮影情報とを関係付けて記憶手段に記憶させるステップと、
前記撮影情報の中から特定の映像をディスプレイに映し出す際に、前記固有情報に基づいて、該固有情報と関係付けて記憶手段に記憶させた撮影情報を選択してディスプレイに映し出すステップと、
を有することを特徴とする撮影情報管理方法。
【発明の詳細な説明】
【技術分野】
【０００１】
本発明は、監視カメラなどの撮影装置で撮影した撮影情報の記録の中から、特定した人物や物品が映っている部分の映像だけを簡単に選び出して見ることができるようにした撮影情報管理システム及びその方法に関する。
【背景技術】
【０００２】
従来、監視カメラなどの撮影装置を用いて、不審人物を撮影して防犯に活用したり、犯人の特定を行なうために有力な証拠情報として利用するなどしている。
これらの監視カメラを用いたシステムとしては、所定の場所を監視カメラにより随時に撮影して、撮影情報をビデオとして記憶させておき、犯罪や事故などが発生した場合に、それらの記録しておいた撮影情報をディスプレイに映し出して確認したり、また、予め不審者侵入検出器などを備えておき、不審者が侵入した際に監視カメラを作動させて、不審者を撮影するシステムなどが公知となっている。（例えば、特許文献１乃至４、参照）
【０００３】
しかしながら、例えば社内犯罪のように、犯人が、信用していた社員である場合には、不審者侵入検出器により不審者として撮影されないため、これらの不審者を撮影するためのシステムでは役に立たない。
したがって、このような場合には、所定の場所を監視カメラにより随時に撮影しておいて、それら撮影情報の履歴情報の中から、疑わしい社員が撮影されている映像を探し出して確認するという手間のかかる作業を行なう必要がある。
しかしながら、短時間で効率的に目的の被写体である人物が映っている映像を探し出して見ることができないという問題がある。
【０００４】
また、被写体が物品である場合にも、監視カメラで撮影した記録映像の中から目的の物品が撮影された映像を探し出すということは、容易なことではない。
例えば、配送用の荷物について、運送経過状況を調べたい場合に、運送中継地点などに監視カメラを設置させておき、随時、搬送される荷物を撮影することで荷物の映像を記録させて、運送状況を映像データとして残しておくことができる。
しかしながら、配送依頼者からの問い合わせにより、特定の荷物の運送経過状況を調べたい場合に、それらの荷物を映し出した映像を簡単に探し出すことができず、監視カメラを設置して荷物を撮影していても個々の荷物と映像との関連性までわからず、何時撮影した映像に目的の荷物が写す出されているのかを短時間に探し出して見ることができないという問題がある。
【特許文献１】特開平９−１９８５７７号公報
【特許文献２】特開平１０−２２２７７３号公報
【特許文献３】特開２００１−３０２１３３号公報
【特許文献４】特開２００４−５５１１号公報
【発明の開示】
【発明が解決しようとする課題】
【０００５】
そこで、本発明は、監視カメラなどの撮影装置で撮影した撮影情報の中から、目的の被写体が映っている映像を短時間で効率的に探し出して見ることができるようにした撮影情報管理システム及びその方法を提供する。
【課題を解決するための手段】
【０００６】
本発明の撮影情報管理システムは、固有情報が記憶された記憶媒体と、前記記憶媒体に記憶された固有情報を読み取る読取装置と、前記読取装置により、前記記憶媒体に記憶された固有情報が読み取られる際に、前記読取装置が設置されている場所付近を撮影する撮影装置と、前記読取装置が前記固有情報を読み取った時点を含む一定時間に前記撮影装置で撮影した撮影情報を、前記固有情報と関係付けて記憶手段に登録する処理装置と、を有することを特徴とする。
【０００７】
本発明の撮影情報管理システムは、前記撮影装置は、前記読取装置が前記記憶媒体に記憶された固有情報を読み取る際に撮影を開始することを特徴とする。
【０００８】
本発明の撮影情報管理システムは、前記記憶媒体が、人が所持する目的で使用するものであり、前記固有情報が前記記憶媒体の所持者を特定することが可能なＩＤ番号であることを特徴とする。
【０００９】
本発明の撮影情報管理システムは、前記記憶媒体が物品に添付されている非接触ＩＣタグであることを特徴とする。
【００１０】
本発明の撮影情報管理方法は、記憶媒体に記憶されている固有情報を読み取るステップと、前記固有情報を読み取る装置が設置されている場所付近を撮影するステップと、前記固有情報と、前記固有情報が読み取られた時点を含む一定時間に撮影された撮影情報とを関係付けて記憶手段に記憶させるステップと、前記撮影情報の中から特定の映像をディスプレイに映し出す際に、前記固有情報に基づいて、該固有情報と関係付けて記憶手段に記憶させた撮影情報を選択してディスプレイに映し出すステップと、を有することを特徴とする。
【発明の効果】
【００１１】
本発明の撮影情報管理システムは、撮影装置で撮影された撮影情報が、被写体が所持したり、被写体に添付されている記憶媒体に記憶されている固有情報と関係付けて記憶手段に登録されるので、ディスプレイに映し出して見たいと思う目的の被写体を、固有情報から簡単に効率的に探し出してディスプレイに映し出して見ることができるという効果がある。
【００１２】
また、本発明の撮影情報管理システムは、撮影装置による撮影の開始を、読取装置が記憶媒体に記憶された固有情報を読み取る際に開始するので、無駄な映像記録を省くことができるという効果がある。
【００１３】
更に、本発明の撮影情報管理システムは、記憶媒体としてＩＤカードを用いて、固有情報がＩＤカードの所持者を特定することが可能なＩＤ番号であることにすることで、被写体である人物が撮影された映像の中から、見たい人物の映像を短時間に効率的に選択して見ることができるという効果がある。
【００１４】
また、本発明の撮影情報管理システムは、記憶媒体が物品に添付されているＩＣタグであるので、被写体である物品が撮影された映像の中から、見たい物品の映像を短時間に効率的に選択して見ることができるという効果がある。
【００１５】
更に、本発明の撮影情報管理方法は、読み取った固有情報から見たい被写体が映し出されている映像を、簡単に効率的に探し出してディスプレイに映し出して見ることができるという効果がある。
【発明を実施するための最良の形態】
【００１６】
以下、本発明の実施形態に係る撮影情報管理システム及びその方法について、図面に基づいて詳細に説明する。
図１は、本発明の第１実施形態に係る撮影情報管理システムの構成の概要を説明する図、図２は、本発明の第１実施形態に係る撮影情報管理システムで使用するＩＤカードの平面図、図３は、図２のＡ−Ａ線断面図、図４は、ＩＤカードに備えられているＩＣタグの平面図、図５は、本発明の第１実施形態に係る撮影情報管理システムのシステムブロック図、図６は、本発明の第１実施形態に係る撮影情報管理システムの撮影情報データベースのデータ内容を示す図、図７は、本発明の第１実施形態に係る撮影情報管理システムの処理手順を示すフローチャート図、図８は、本発明の第２実施形態に係る撮影情報管理システムの構成の概要を説明する図、図９は、本発明の第２実施形態に係る撮影情報管理システムの撮影情報データベースのデータ内容を示す図である。
【００１７】
本発明の第１実施形態に係る撮影情報管理システムは、図１に示すように、例えば、社員１が会社の敷地に入る際に通過する通用門の入口２に、社員が所持する社員証であるＩＤカード３に記憶されたＩＤ番号を非接触で読み取ることができる読取装置４と、入口２付近を撮影するための撮影装置５とが備えられている。
また、これらの読取装置４と、撮影装置５と、パソコンなどからなる処理装置６とは、通信回線１３により接続されている。
【００１８】
また、社員が所持する社員証であるＩＤカード３は非接触ＩＣカードからなり、例えば、図２乃至図４に示すように、カード基材３ａ，３ｂの内部に非接触ＩＣタグ８が内蔵された構成を有している。
この非接触ＩＣタグ８は、例えば、非接触データキャリアやＲＦＩＤともいわれ、図４に示すように、プラスチック等の基材８１にコイルパターンからなる送受信手段８８が形成され、当該コイルと容量素子とにより共振回路を形成して一定周波数の電波を受信し送信することができるように構成されている。
また、他の方式として、リーダライタからの搬送波の電磁誘導により電力伝送及びデータ伝送を行うようにしてもよい。
一般的には、１３５ｋＨｚ（中波）、１３．５６ＭＨｚ、２．４５ＧＨｚ（マイクロ波）の周波数帯が使用される。
【００１９】
図示した例の場合、コイルパターンからなる送受信手段８８は、導通部材８４により基材８１の裏面でジャンピング回路を形成してコイル接続端子８８ＣによりＩＣチップ８２の裏面のバンプに接続している。
ＩＣチップ８２には、制御手段８９であるＣＰＵと、記憶手段９０であるメモリが備えられている。
【００２０】
図示した例では、容量素子はＩＣチップ８２に内蔵されている。
このような非接触ＩＣタグ８は、樹脂基材にラミネートしたアルミ箔等の金属箔をフォトエッチングやレジスト印刷後のエッチングによりコイルパターンを形成し、ＩＣチップ８２を装着し、保護用の被覆を設けることにより形成することができる。
その大きさも３０ｍｍ×３０ｍｍ程度以下のサイズとすることができる。
【００２１】
非接触ＩＣタグ８に使用する樹脂基材８１としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００２２】
これらの非接触ＩＣタグ８に記録した情報の読み取りは、読取装置４から非接触ＩＣタグ８に対して共振する呼び出し信号を発信し、非接触ＩＣタグ８からの応答信号を読み、且つ非接触ＩＣタグ８のＩＣチップ８２の記憶手段であるメモリに記録された情報を読み取ることができる。
また、ＩＣチップ８２の記憶手段であるメモリには、本人であることを認証するための固有情報であるＩＤ情報が予め登録され、入口２を社員が通過する際に、読取装置４により非接触でＩＤ情報が読み取り可能に構成されている。
【００２３】
次に、本発明の第１実施形態に係る撮影情報管理システムのシステム構成を、図５に基づいて説明する。
読取装置４には、送受信手段９、記憶手段１０、制御手段１１、インターフェース（Ｉ／Ｆ）１２などが備えられている。
送受信手段９は、ＩＤカード３の送受信手段８８からＩＤ情報を受信する。
記憶手段１０には、制御用プログラムが搭載されており、送受信手段９で受信したＩＤ情報を、通信回線１３を介して撮影装置１８と処理装置６へ送信するようにプログラムされている。
【００２４】
また、撮影装置５であるカメラには、撮影手段１４、記憶手段１５、制御手段１６、計時手段１７、インターフェース（Ｉ／Ｆ）１８などが備えられている。
撮影手段１４は、通用門の入口２から入ってくる社員を撮影できるように設定されていて、読取装置４により非接触でＩＤ番号が読み取られた社員の映像を記録できるようにしてある。
【００２５】
この撮影手段１４による撮影は、読取装置４から送信されてきたＩＤ番号を受信したことを受けて、予め設定された時間だけ撮影するようにしてある。
また、計時手段１７は、撮影手段１４により撮影した時刻を記録する機能を有しており、撮影された撮影情報が何時何分から何時何分までに撮影されたものであるのかわかるようにしてある。
記憶手段１５には、制御用プログラムと撮影装置５の管理番号情報とが記憶されており、撮影手段１４で撮影された撮影情報と、その撮影情報が撮影された時刻情報と、撮影装置５の管理番号情報とを通信回線１３を介して処理装置６へ送信するようにプログラムしてある。
【００２６】
処理装置６には、入力手段１９、ディスプレイからなる表示手段２０、インターフェース（Ｉ／Ｆ）２１、登録手段２２、撮影情報選択手段２３、記憶手段２４、計時手段２５、制御手段２６、撮影情報データベース２７、社員情報データベース２８、などが備えられている。
社員情報データベース２８には、予め社員情報として、例えば、社員毎に設定されたＩＤ情報と、このＩＤ情報に関係付けられて、氏名、役職、所属部署、電話番号、入社日、などの情報が登録されている。
【００２７】
また、登録手段２２は、通信回線１３を介して、読取装置４から受信したＩＤ情報と、撮影装置５から受信した撮影情報、時刻情報、撮影装置５の管理番号情報とを関係付けて撮影情報データベース２７に登録する機能を有している。
更に、登録手段２２は、読取装置４から受信したＩＤ情報に基づいて、社員情報データベース２８に登録されている社員情報の中から予め設定された情報を選択して、撮影情報データベース２７に、ＩＤ情報と関係付けて登録する機能を有している。
【００２８】
また、処理装置６にも計時手段２５が設けられ、通信回線１３を介し読取装置４から受信したＩＤ情報が、何時何分に受信されたものであるのかがわかるようにしてあり、ＩＤ情報を受信した時刻と、撮影装置５から受信した撮影情報の撮影時刻情報とが一致する状態となるようにして、撮影情報データベース２７に登録される。
つまり、読取装置４でＩＤ情報を読み取ったのと略同じ時刻に撮影された映像には、そのＩＤ情報で特定される社員が映っているようにしてある。
【００２９】
図６には、撮影情報データベース２７に登録された情報の一例が示されている。
図６に示したように、撮影情報データベース２７に登録される情報としては、ＩＤ情報に関係付けられて、氏名、所属部署、カメラ番号、カメラの設置場所、撮影時刻、撮影データ、などが登録されている。
したがって、ある特定した社員が撮影された映像だけを選んで見たい場合には、ＩＤ情報や氏名から、簡単にその社員が撮影された撮影データを表示手段に映し出して見ることができる状態になっている。
【００３０】
次に、本発明の第１実施形態に係る撮影情報管理システムの処理手順を、図６に示すフローチャート図に基づいて説明する。
通用門の入口２では、読取装置４により社員が所持するＩＤカード３に記憶されているＩＤ情報の読み取りが行なわれる。（ステップＳ１）
読取装置４により読み取られたＩＤ情報は、通信回線１３を介して処理装置６へ送信される。（ステップＳ２）
【００３１】
撮影装置５は、読取装置４からＩＤ情報を受信すると撮影手段１４により撮影が開始されて、入口２付近の撮影を行なう。（ステップＳ３）
これらの撮影された映像データは、撮影装置５の計時手段１７による撮影時刻情報と、記憶手段１５に記憶されているカメラ番号情報と共に処理装置６へ送信される。（ステップＳ４）
これらの情報を受信した処理装置６では、登録手段２２により撮影情報データベース２７に、受信したＩＤ情報に基づいて、社員情報データベース２８に登録されている情報の中から氏名、所属部署、を抽出して、ＩＤ情報に関係付けて登録すると共に、カメラ番号、そのカメラ設置場所、撮影時刻、撮影データ、などを関係付けて登録する。（ステップＳ５）
【００３２】
上記のように、読取装置４で読み取られたＩＤ情報は、撮影装置５により撮影された映像データなどと関係付けられて処理装置６の撮影情報データベース２７に順次登録されていき蓄積される。
このように撮影情報データベース２７に登録された映像データの中から、ある特定した所望の人物が映し出されている映像を見たい場合には、処理装置６の入力手段１９からその人物のＩＤ情報を入力することで、撮影情報データベース２７の中から入力されたＩＤ情報と関係付けられて登録されている映像データが選択されて表示手段２０に映し出すことができる。
【００３３】
また、上記の場合には、撮影手段１４による撮影を、読取装置４から送信されてきたＩＤ番号を受信したことを受けて、予め設定された時間だけ撮影するようにしたが、その他の方法として、撮影手段１４による撮影を常時に撮影しておいて、それらの映像が撮影された時刻情報を関係付けて記録させておいて、読取装置４でＩＤ情報を受信した時刻と同じ時刻に撮影された撮影データを選択させて、表示手段であるディスプレイに映し出せるようにしてもよい。
【００３４】
上記の本発明の第１実施形態に係る撮影情報管理システムは、特に被写体が人物である場合に適する例であるが、本発明の撮影情報管理システムは、被写体が物である場合についても適応できる。
次に説明する本発明の第２実施形態に係る撮影情報管理システムは、被写体が物である場合に適応した実施形態である。
図８には、運送用の荷物を取り扱う運送会社の中継地において、荷物３０の振り分けを行なう際に、ベルトコンベアー３１に荷物３０を乗せて移動させている場面が示されている。
個々の荷物３０には、非接触ＩＣタグ８が配送伝票などと一体化されて貼付されている。
【００３５】
また、ベルトコンベアー３１で荷物３０を移動する所定の位置には、非接触ＩＣタグ８に記憶されているタグ情報を非接触で読み取る読取装置３２が設置されている。
更に、荷物３０が移動する際に、読取装置３２により非接触ＩＣタグ８に記憶されているタグ情報を非接触で読み取れる場所を通過する映像を撮影できるように撮影装置３３が設置されている。
また、これらの読取装置３２と、撮影装置３３と、パソコンなどからなる処理装置３４とは、通信回線３５により接続されている。
【００３６】
そして、ベルトコンベアー３１で移動している荷物３０が所定の位置を通過する際に、読取装置３２が非接触ＩＣタグ８に記憶されているタグ情報を非接触で読み取り、タグ情報を処理装置へ送信する。
また、撮影装置３３は、所定の位置を通過する荷物を撮影して、その映像データを処理装置へと送信する。
タグ情報と映像データとを受信した処理装置３４は、図９に示すように、タグ情報に基づいて、荷物配送の依頼人氏名、電話番号を予め登録されている顧客情報データベースから抽出して、タグ情報に関係付けて撮影情報データベースに登録する。
更に、タグ情報に関係付けて、カメラ番号、そのカメラ設置場所、撮影時刻、撮影データ、などを登録する。
【００３７】
以上の処理により、読取装置３２で読み取られたタグ情報は、撮影装置３３により撮影された映像データなどと関係付けられて処理装置３４の撮影情報データベースに順次登録され蓄積される。
そして、撮影情報の中から特定の映像を表示手段であるディスプレイに映し出す際に、タグ情報に基づいて、タグ情報と関係付けて撮影情報データベースに記憶された撮影情報だけを選択してディスプレイに映し出し見ることができるようにしてある。
【００３８】
上記の実施形態では、記憶媒体として、社員が所持する社員証であるＩＤカード３を使用した場合について説明したが、記憶媒体は、ＩＤカードだけに限定されるものではなく、その他にも、チケット、ホテル等で使用するルーム鍵、など人が所持する目的で使用する種々の記憶媒体としても適応することができる。
また、種々の物品に添付して使用する非接触ＩＣタグ等の記憶媒体を用いて、物品の撮影情報を管理して、撮影情報の中から、目的の被写体が映っている映像を短時間で効率的に探し出して見ることができるようにもできるものである。
【図面の簡単な説明】
【００３９】
【図１】本発明の第１実施形態に係る撮影情報管理システムの構成の概要を説明する図である。
【図２】本発明の第１実施形態に係る撮影情報管理システムで使用するＩＤカードの平面図である。
【図３】図２のＡ−Ａ線断面図である。
【図４】ＩＤカードに備えられているＩＣタグの平面図である。
【図５】本発明の第１実施形態に係る撮影情報管理システムのシステムブロック図である。
【図６】本発明の第１実施形態に係る撮影情報管理システムの撮影情報データベースのデータ内容を示す図である。
【図７】本発明の第１実施形態に係る撮影情報管理システムの処理手順を示すフローチャート図である。
【図８】本発明の第２実施形態に係る撮影情報管理システムの構成の概要を説明する図である。
【図９】本発明の第２実施形態に係る撮影情報管理システムの撮影情報データベースのデータ内容を示す図である。
【符号の説明】
【００４０】
１  社員
２  入口
３  ＩＤカード
３ａ，３ｂ  カード基材
４，３２  読取装置
５，３３  撮影装置
６，３４  処理装置
８  非接触ＩＣタグ
９  送受信手段
１０，１５，２４  記憶手段
１１，１６，２６  制御手段
１２，１８  インターフェース（Ｉ／Ｆ）
１３  通信回線
１４  撮影手段
１７，２５  計時手段
１８  撮影装置
１９  入力手段
２０  表示手段
２２  登録手段
２３  撮影情報選択手段
２７  撮影情報データベース
２８  社員情報データベース
３０  荷物
３１  ベルトコンベアー
【図１】
2006174200.tif 000003
【図２】
2006174200.tif 000004
【図３】
2006174200.tif 000005
【図４】
2006174200.tif 000006
【図５】
2006174200.tif 000007
【図６】
2006174200.tif 000008
【図７】
2006174200.tif 000009
【図８】
2006174200.tif 000010
【図９】
2006174200.tif 000011